【手続補正書】
【提出日】平成23年5月26日(2011.5.26)
【手続補正１】
【補正対象書類名】明細書
【補正対象項目名】００６４
【補正方法】変更
【補正の内容】
【００６４】
つまり、一連の環境的な合図に反応して、直接的な操作者の介在なしに画像取得セットを取得するカメラ装置を提供する装置および方法を提供する。
＜補遺＞
上述の実施形態は、以下のような各構成を具現化した例と捉えることができる。
（構成１）
画像取得装置を用いて画像を取得する方法であって、
少なくとも１つの画像トリガ条件を選択し、
前記少なくとも１つの画像トリガ条件に対応する閾値レベルを入力し、
前記少なくとも１つの画像トリガ条件を検出する少なくとも１つのセンサからの信号をモニタし、
前記検出した少なくとも１つの画像トリガ条件が前記閾値レベルを満たすことを検出すると、少なくとも１つのデジタル画像を取得する、
ことを含む方法。
（構成２）
前記少なくとも１つの画像トリガ条件を選択することは、前記画像取得装置の視界内に興味対象が存在することを選択することを更に含む、構成１に記載の方法。
（構成３）
前記興味対象が存在することを選択することは、以前に取得して前記画像取得装置に保存されていたデジタル画像の中の、表示された画像の一部から前記興味対象を選択することを更に含む、構成２に記載の方法。
（構成４）
前記表示された画像の一部から前記興味対象を選択することは、タッチスクリーンを用いることによって前記興味対象を示すことを更に含む、構成３に記載の方法。
（構成５）
前記表示された画像の一部から前記興味対象を選択することは、当該画像取得装置に表示された画像の中の、物体、動物、および人からなるグループから得る前記一部の輪郭を描くことを更に含む、構成３に記載の方法。
（構成６）
前記興味対象が存在することを選択することは、前記画像取得装置にアクセスできる複数のデジタル画像の中の、表示された画像の一部から前記興味対象を選択することを更に含む、構成２に記載の方法。
（構成７）
前記デジタル画像にネットワークを介してアクセスすることを更に含む、構成６に記載の方法。
（構成８）
収集された画像を分析して興味対象を選択することを更に含む、構成２に記載の方法。
（構成９）
前記収集された画像を分析して興味対象を検出することは、画像メタデータを分析することを更に含む、構成８に記載の方法。
（構成１０）
前記収集された画像を分析して興味対象を検出することは、画像値指標を使用することを更に含む、構成８に記載の方法。
（構成１１）
前記収集された画像を分析して興味対象を検出することは、画像内容を分析することを更に含む、構成８に記載の方法。
（構成１２）
前記取得した少なくとも１つのデジタル画像内の興味対象の領域を検出し、
前記少なくとも１つのデジタル画像を、前記画像内の興味対象の領域にしたがって自動的にトリミングして、調整されたデジタル画像を形成する、
ことを更に含む、構成１に記載の方法。
（構成１３）
前記少なくとも１つの画像トリガを選択することは、笑い、拍手、所定の閾値を超える音量レベルの移り変わり、話し言葉やフレーズ、プロンプト装置によって生じる音、ある人の声、前記画像取得装置の視界内に好適な対象が存在すること、温度の変化、振動の変化、スペクトルの変化、赤外線の変化、紫外線の変化、電場の変化、磁場の変化、放射線の変化、および空気流の変化からなるグループから前記少なくとも１つの画像トリガを選択することを更に含む、構成１に記載の方法。
（構成１４）
前記信号をモニタすることは、オーディオセンサ、熱センサ、振動センサ、スペクトラルセンサ、紫外線センサ、赤外線センサ、電場センサ、磁場センサ、放射線センサ、空気流センサ、動きセンサ、および画像センサからなるグループから得たセンサからの信号をモニタすることを更に含む、構成１に記載の方法。
（構成１５）
前記少なくとも１つのデジタル画像を取得することは、静止およびビデオの両方の内容を有する画像取得セットを取得することを更に含む、構成１に記載の方法。
（構成１６）
前記画像取得セットを取得することは、静止画像と、前記画像トリガ条件の検出の前の所定数秒間のビデオとの組み合わせ、前記静止画像と、前記画像トリガ条件の検出の後の所定数秒間のビデオとの組み合わせ、またはそれらの組み合わせを取得することを更に含む、構成１５に記載の方法。
（構成１７）
前記静止画像をトリミングすることは、前記ビデオからの情報を用いて自動的にトリミングすることである、構成１６に記載の方法。 
（構成１８）
前記静止画像をトリミングすることは、前記画像トリガ条件からの情報を用いて自動的にトリミングすることである、構成１６に記載の方法。 
（構成１９）
前記少なくとも１つのセンサからの信号をモニタすることは、前記画像取得装置の少なくとも１つのイメージングセンサをモニタすることを更に含む、構成１に記載の方法。
（構成２０）
前記イメージングセンサを用いて動きを検出することを更に含む、構成１９に記載の方法。 
（構成２１）
前記少なくとも１つのセンサからの信号をモニタすることは、光レベルにおいて所定の閾値を超える変化を検出することを更に含む、構成１９に記載の方法。
（構成２２）
前記少なくとも１つの画像トリガ条件を選択することは、２つ以上の画像トリガ条件を選択し、前記２つ以上の画像トリガ条件の閾値の全てが満たされたことを検出すると、少なくとも１つのデジタル画像を取得することを更に含む、構成１に記載の方法。
（構成２３）
前記少なくとも１つの画像トリガ条件を選択することは、前記画像取得装置に対する所定のデフォルト条件を受け入れることを含む、構成１に記載の方法。
（構成２４）
前記少なくとも１つのデジタル画像を取得するための前記画像トリガ条件は、記画像取得装置の視界における動作の開始または動作の停止を検出することを更に含む、構成１に記載の方法。
（構成２５）
画像を取得する装置であって、
少なくとも１つの画像トリガ条件を選択し、前記少なくとも１つの画像トリガ条件に対応する閾値レベルを設定する画像取得装置と、
前記画像取得装置に接続されて、前記少なくとも１つの画像トリガ条件を検出する少なくとも１つのセンサと、
前記画像取得装置に接続されて、前記少なくとも１つの画像トリガ条件が前記閾値レベルを満たすことを検出すると、取得された少なくとも１つのデジタル画像を保存するメモリと、
を有する装置。
（構成２６）
少なくとも１つの画像トリガ条件を選択する画像取得装置を更に含み、
前記少なくとも１つの画像トリガ条件は、前記画像取得装置のディスプレイに表示されたデジタル画像の一部に含まれる興味対象として選択される、構成２５に記載の装置。
（構成２７）
前記興味対象は、以前に取得されて前記画像取得装置に保存されたデジタル画像の一部を含む、構成２６に記載の装置。
（構成２８）
前記興味対象は、前記画像取得装置にアクセスできるデジタル画像の一部を含む、構成２６に記載の装置。 
（構成２９）
前記デジタル画像はネットワークを介してアクセスできる、構成２８に記載の装置。
（構成３０）
表示された画像の一部から前記興味対象を選択することは、前記興味対象を示すためのタッチスクリーンを更に含む、構成２６に記載の装置。
（構成３１）
表示された画像の一部から前記興味対象を選択することは、前記画像取得装置に表示された画像の中の、物体、動物、および人からなるグループからの画像の一部の輪郭を描くことを含む、構成２６に記載の装置。
（構成３２）
前記センサは、オーディオセンサ、熱センサ、振動センサ、スペクトルセンサ、紫外線センサ、赤外線センサ、電場センサ、磁場センサ、放射線センサ、および空気流センサを含む環境センサからなるグループから得られる、構成２５に記載の装置。
（構成３３）
前記検出された条件は、笑い、拍手、所定の閾値を超える音量レベルの移り変わり、話し言葉やフレーズ、プロンプト装置によって生じる音、ある人の声、前記画像取得装置の視界内に好適な対象が存在すること、からなるグループから得られる、構成２５に記載の装置。
（構成３４）
前記少なくとも１つのデジタル画像内の興味対象の領域を検出し自動的にトリミングして、調整されたデジタル画像を形成する、構成２５に記載の装置。 
（構成３５）
前記画像取得装置は、前記少なくとも１つの画像トリガ条件が前記閾値レベルを満たすことを検出すると、静止とビデオの両方の内容を有するデジタル画像取得セットを保存するモードを更に有する、構成２５に記載の装置。
（構成３６）
画像取得セットを取得することは、静止画像と、前記画像トリガ条件の検出の前の所定数秒間のビデオとの組み合わせ、前記静止画像と、前記画像トリガ条件の検出の後の所定数秒間のビデオとの組み合わせ、およびこれらの組み合わせからなるグループから少なくとも１つを取得することを更に含む、構成３５に記載の装置。
（構成３７）
前記静止画像をトリミングするとは、前記ビデオからの情報を使って自動的にトリミングすることである、構成４０に記載の装置。 
（構成３８）
前記静止画像をトリミングするとは、前記画像トリガ条件からの情報を使って自動的にトリミングすることである、構成４０に記載の装置。
（構成３９）
前記少なくとも１つのセンサは動きを検出する、構成２５に記載の装置。
（構成４０）
前記少なくとも１つのセンサは光レベルにおける所定の閾値を超える変化を検出する、構成２５に記載の装置。
（構成４１）
前記少なくとも１つの画像トリガ条件は、前記画像取得装置に対する所定のデフォルト条件から受け入れられる、構成２５に記載の装置。 
（構成４２）
前記画像取得装置の視界における動作の開始または動作の停止を検出するセンサを更に含む、構成２５に記載の装置。
【手続補正２】
【補正対象書類名】特許請求の範囲
【補正対象項目名】全文
【補正方法】変更
【補正の内容】
【特許請求の範囲】
【請求項１】
画像取得装置を用いて画像を取得する方法であって、
少なくとも１つの画像トリガ条件を選択し、
前記少なくとも１つの画像トリガ条件に対応する閾値レベルを入力し、
前記少なくとも１つの画像トリガ条件を検出する少なくとも１つのセンサからの信号をモニタし、
前記検出した少なくとも１つの画像トリガ条件が前記閾値レベルを満たすことを検出すると、少なくとも１つのデジタル画像を取得する、
ことを含む方法。
【請求項２】
前記取得した少なくとも１つのデジタル画像内の興味対象の領域を検出し、
前記少なくとも１つのデジタル画像を、前記画像内の興味対象の領域にしたがって自動的にトリミングして、調整されたデジタル画像を形成する、
ことを更に含む、請求項１に記載の方法。
【請求項３】
前記少なくとも１つの画像トリガを選択することは、笑い、拍手、所定の閾値を超える音量レベルの移り変わり、話し言葉やフレーズ、プロンプト装置によって生じる音、ある人の声、前記画像取得装置の視界内に好適な対象が存在すること、温度の変化、振動の変化、スペクトルの変化、赤外線の変化、紫外線の変化、電場の変化、磁場の変化、放射線の変化、および空気流の変化からなるグループから前記少なくとも１つの画像トリガを選択することを更に含む、請求項１に記載の方法。
【請求項４】
前記画像取得セットを取得することは、静止画像と、前記画像トリガ条件の検出の前の所定数秒間のビデオとの組み合わせ、前記静止画像と、前記画像トリガ条件の検出の後の所定数秒間のビデオとの組み合わせ、またはそれらの組み合わせを取得することを更に含む、請求項１に記載の方法。
【請求項５】
前記少なくとも１つのデジタル画像を取得するための前記画像トリガ条件は、記画像取得装置の視界における動作の開始または動作の停止を検出することを更に含む、請求項１に記載の方法。